(57)【要約】【課題】水道水を水道水圧と共に空気の入っていない水槽タンクに貯水する。真空水槽タンク構造＝水道水圧に耐えられる強度材料と水道水に適している材質。水槽タンク内の水道水を使用しない。水道水が止まっている時に気温により水槽タンク内の水道水体積が増えるため水槽タンク内超高圧になる。【解決手段】真空水槽タンク構造と水道水圧に耐えられる。水道水に適している材質として地方自治体水道に使う水道用大口パイプを使い水槽タンクにする。空気抜きバルブを備えて水槽タンクに水道水を入れる時に空気抜きバルブを開く水道水を満タンにし空気抜きバルブより水道水があふれ出たら空気抜きバルブを閉めると水槽タンク内は水道水に水圧が加圧になり水道水を貯水できる。水圧と圧力に真空水槽タンクを圧力から保護するために自動調整圧力弁を備える。【選択図】図１
2009209663.tif 000002
【特許請求の範囲】
【請求項１】
発明目的は災害時・非常用・にごり水時の飲料水確保に貯水する真空水槽タンク、水道管より水道水を其の儘貯水する真空水槽タンク、真空水槽タンク内は空気が入っていないので真空になり水道水圧により水槽タンク内に微生物が発生しないため衛生上安全な飲料水を確保できる水槽タンク、真空水槽タンクは水道水を貯水し水道水圧に耐えられる水道本管と同じ強度の水槽タンク。
【発明の詳細な説明】
【技術分野】
【０００１】発明は使用する水道水を貯水し災害時・非常用として安全な飲料水確保に微生物が発生しない。空気がない真空水槽タンク、水道水圧に耐えられる大口水道管を備えて水道水を直接貯水する水槽タンク。水道水を逆流止め・にごり水を止めるバルブを備える（水槽タンク定期点検・ポンプ設備・モーターを回す電気代がいらない）。環境にやさしい真空水槽タンク、日常水道水を使用しながらも水槽タンクに貯水できる。
【背景技術】
【０００２】現在の貯水槽、受水槽は空気が出入りがないと貯水槽・受水槽から水道水を取り出す、水道水を入れることができません。水道水圧に耐えられる水槽類がない。水槽に空気が入ると微生物が発生して水槽内の定期点検と清掃・洗浄が必要になり、ポンプアップに電気代が必要となる。
【発明の開示】
【発明が解決しようとする課題】
【０００３】真空・水道水圧・水重量圧の働きがあり、安全性の高い貯水槽に
真空：真空水槽タンク内に水道水を入れた時タンク内に空気がないこと
水道水圧：水槽タンクが水道水圧に耐えられる水槽タンクでなければならない
水重量圧：水槽タンク内において水道水水量が高く重なると水重量圧となりタンク内は水道水圧プラス水重量圧と加圧になる。加圧分により真空水槽タンクに微生物発生しないために安全な貯水ができる。非常災害時に安全な飲料水として確保ができる。
【課題を解決するための手段】
【０００４】真空水槽タンク構造と材質・水槽タンクに添える設備になる。真空水槽タンクを真空にするには、水槽タンクに空気抜きバルブを備える。水道水圧に耐えられる構造と材質。地方自治体水道給水用大口パイプ使用。にごり水を止めるバルブ、にごり水排水バルブを備える。非常災害時、水道本管事故時に逆流するのを防ぐ逆流を止めるバルブを備える。水圧圧力自動調整弁バルブを備える。
【発明の効果】
【０００５】水道水圧・水重量・水道給水用大口パイプ
真空水槽タンクに使用する水道水給水パイプは水道水圧に耐えられる構造・材質は地方自治体水道給水に使用され水道水圧に耐えられる
水重量、水槽タンクを縦形
水重量水道給水パイプを使う水槽タンクを縦形に備えるため水圧に水重量圧プラスするから水道給水より圧力が有り水槽タンク内に微生物が発生することができない。水道給水より水圧が加圧になり水道水が吹き出る力が有り発電にも使える。
【発明を実施するための最良の形態】
【０００６】真空水槽タンクは日常水道水を使用し貯水槽を兼ねる。水槽タンク内の微生物発生を防ぎ、水槽タンクが真空と水道水圧。
水道メーター以降に給水用大口パイプを縦形に立てて備え水槽タンクにするバルブ類を水槽タンクに添えて備える。
給水バルブ：水道メーター以降に真空水槽に水道水を入れる・止める・逆流を止める・バルブを給水管に備える
空気抜きバルブ：水槽タンクに水道水を入れる時に空気抜きバルブを開き満タンになった時に空気抜きバルブを閉めると水槽タンクには空気がないので真空になる
にごり水止めバルブ：給水本管事故工事のにごり水を止めるバルブを備える
にごり水排水バルブ：にごり水を水槽タンク手前で止めてにごり水排除するバルブ
配給水バルブ：水槽タンクより給水・発電用に分けるバルブをタンク底に備える
水圧圧力バルブ：水槽タンク内水道水使用中は水槽タンク内を通常通り、気温上昇時は水槽タンク内の水道水体積が増え高圧力になるので圧力自動調整弁バルブを備える
断熱：水槽タンク内に入っている水道水水温変化を少なくし水槽タンク老朽化を防ぐ
【実施例】
【０００７】真空水槽タンク・構造材・材質・水圧
水道水圧に対応構造、材質硬質塩化ビニール製ＶＰパイプ
真空水槽タンクに地方自治体水道給水大口パイプを使い縦形に立てる。上下断面切り口にタンクにするキャップ、上面用キャップにキャップ外上場に給水口・空気抜きバルブ・水圧圧力自動調整バルブ弁を備え、備えた後にパイプ切り口上面にキャップをし、下面切り口用キャップに配給水バルブ発電用バルブを備えて下切り口にキャップをする。その後水槽タンク備え台にタンクを縦に立てる。立てた水槽タンクを建物にバンドで押さえ外側から断熱材を加える。できれば断熱材保護に鉄板などでラッキングすると良いです。
給水配管に上から逆流を止めるバルブ一方方向に通る水栓バルブを備えその下ににごり水を止めるバルブ、又その下よこににごり水排水バルブを備える。一番に空気抜きバルブを開き、次に外上場給水バルブを開く、にごり水排水用バルブを閉める。次ににごり水を止めるバルブを開く最後に一方方向に水道水が通るバルブを開く真空水槽タンク内に水道水が満タン時に空気抜きバルブを閉めると水槽タンク内は空気のない真空になり空気に触れない水道水、水道水圧が加圧になり長期間に渡り微生物が発生しない、水道局、水道給水水道水を使う発電は一例として真空水槽タンクに給水を２０〜３０ｍｍ径水道契約し発電機軸を回すスクリューに当たる水重量圧プラス水道水圧と共に７〜９ｍｍ径口から吹き出る力を利用する。実験において４ｋｇ水圧で１２Ｖ用自動車ダイナモーが回る。水槽タンクを設置高さは台所流し台・洗面所より高い所に設置、非常災害、にごり水・水道本管事故時に空気抜きバルブを開くと水槽タンク内の水道水は水重力で水道水使用所に水道水は流れて行く。
【産業上の利用可能性】
【０００８】人が生活をして行くためには水道水が伴い、災害事故・にごり水時に水道水は使えない。
水道水確保に真空水槽タンクに貯水をする。
発明の真空水槽タンクは、今日までの水槽タンクとは異なる。今日までの水槽タンクは微生物が発生する、タンク内の水道水は低圧でポンプアップをしないと水槽タンク内の水道水は使えない。水圧を上げるために電力モーターポンプを使い水道水を加圧にするため、ポンプ設備＋電気代＋微生物発生定期検査＋水槽タンク内の洗浄・消毒する経費が必要となります。
真空水槽タンクは水道水に対して経費削減とともに環境にやさしい水槽タンク。
【図面の簡単な説明】
【０００９】
【図１】立体図。真空水槽タンクと添える水道給水管・バルブ類
【図２】真空水槽タンク用上面キャップ図
【図３】平面図。真空水槽タンク
【図４】真空水槽タンク縦に二つ割り図
【図５】タンク下面底キャップ図
【符号の説明】
【００１０】    １  水道給水管用ＪＩＳ認定硬質塩化ビニールＶＰ管真空水槽タンク
２  空気抜きバルブ、水圧圧力自動調整弁兼用
３  水道量メーターよりの水道水取り入れパイプ口
４  水道用給水用パイプ
５  にごり水排水バルブ
６  にごり水止めるバルブ
７  一方方向に水道水が通る逆流を止める給水バルブ
８  水槽タンクに貯水する水道水入口
９  発電用時に使う。その他水道に使えるバルブ
１０  水槽タンクより水道水給水するバルブ
１１  各水道水を使う箇所に配給するパイプ口
１２  水槽タンク上面キャップ
１３  水槽タンク下面キャップ
【図１】
2009209663.tif 000003
【図２】
2009209663.tif 000004
【図３】
2009209663.tif 000005
【図４】
2009209663.tif 000006
【図５】
2009209663.tif 000007